(57)【要約】  この発明の貨幣処理装置１は、入金口３と、前記ホッパー３から入金される貨幣の金種を識別するための識別ユニット５と、前記識別ユニット５で識別された貨幣を収納するための複数の収納庫９と、前記複数の収納庫９の少なくとも１つを、特定の金種の貨幣を一時的に保留するための一時保留部として機能させる設定手段４０と、を含む。
2009118882.tif 000002
【特許請求の範囲】
【請求項１】
貨幣を処理するための貨幣処理装置であって、
入金口と、
前記入金口から入金される貨幣の金種を識別するための識別ユニットと、
前記識別ユニットで識別された貨幣を収納するための複数の収納庫と、
前記複数の収納庫の少なくとも１つを、特定の金種の貨幣を一時的に保留するための一時保留部として機能させる第１の設定手段と、
を含むことを特徴とする貨幣処理装置。
【請求項２】
前記複数の収納庫とは別に設けられ、前記識別ユニットで識別された貨幣のうち、前記特定の金種の貨幣以外の所定の貨幣を一時的に保留するための一時保留部を有することを特徴とする、請求項１記載の貨幣処理装置。
【請求項３】
前記所定の貨幣とは、短手長さが同程度の長さで、前記特定の金種でない紙幣であることを特徴とする、請求項２記載の貨幣処理装置。
【請求項４】
前記複数の収納庫は、収納する貨幣の金種を個別に設定でき、
複数の収納庫は同一金種の貨幣を収納するための収納庫とし、ある収納庫は複数金種の貨幣を混合で収納するための混合収納庫として設定する第２の設定手段を有することを特徴とする、請求項２記載の貨幣処理装置。
【請求項５】
前記第２の設定手段は、複数の収納庫のそれぞれを、貨幣の属性に応じた収納庫として設定できることを特徴とする、請求項４記載の貨幣処理装置。
【請求項６】
出金口を備え、
前記混合収納庫から所定の金種の貨幣を出金する旨の指令が入力されたことに応答して、前記混合収納庫から順に貨幣を繰り出し、繰り出した貨幣が前記所定の金種でないときは、その貨幣を専用一時保留部で保留し、繰り出した貨幣が前記所定の金種のときは、前記出金口へ搬送する出金制御手段、を有することを特徴とする、請求項４記載の貨幣処理装置。
【発明の詳細な説明】
【技術分野】
【０００１】
この発明は、紙幣や硬貨などの貨幣を処理する貨幣処理装置に関する。
【背景技術】
【０００２】
たとえば、紙幣の入金や出金を扱う貨幣処理装置には、入金口から入金された紙幣を、保留用の一時保留部に搬送するものがある（たとえば、下記特許文献１，２参照）。
特許文献１では、入金を確定する旨の操作などが行われることにより、一時保留部に保留された紙幣を、貨幣処理装置内に設けられた収納庫に収納する。
【特許文献１】特開平１０−１０５７７６号公報
【特許文献２】特開２００４−１０２６６９号公報
【発明の開示】
【発明が解決しようとする課題】
【０００３】
しかしながら、一時保留部に収容することのできる紙幣の枚数には限りがあるため、一度に大量の紙幣が入金された場合には、一時保留部が満杯になってしまう。なお、一度に大量の紙幣が入金される場合には、同一金種の紙幣が大量に入金される傾向が強い。
一時保留部が満杯になった場合には、入金を一旦停止し、一時保留部の紙幣を収納庫などに移す処理をして一時保留部に空きをつくる。そして、その後、再び入金を受け付ける。このため、入金開始から入金完了までの時間が長くなってしまう。【０００４】
一時保留部の容量を大きくすることで、一度に保留できる紙幣量を増やすことも考えられるが、紙幣処理装置が大型化してしまう。同様の課題は、硬貨を扱う貨幣処理装置にも存在する。
この発明は、上述のような背景技術のもとになされたものであり、入金の際に多量の貨幣を一度に受け入れることができ、しかも省スペース化を達成できる貨幣処理装置を提供することを目的とする。
【課題を解決するための手段】
【０００５】
この発明は、貨幣を処理するための貨幣処理装置（１）であって、入金口（３）と、前記入金口（３）から入金される貨幣の金種を識別するための識別ユニット（５）と、前記識別ユニット（５）で識別された貨幣を収納するための複数の収納庫（９ａ，９ｂ，９ｃ，９ｄ，９ｅ）と、前記複数の収納庫（９ａ，９ｂ，９ｃ，９ｄ，９ｅ）の少なくとも１つを、特定の金種の貨幣を一時的に保留するための一時保留部として機能させる第１の設定手段（４０）と、を含むことを特徴とする貨幣処理装置（１）である。【０００６】
なお、この項において、括弧内の英数字は、後述の実施形態における対応構成要素の参照符号を示すが、これらの参考符号により発明を限定する趣旨ではない。
上記の構成によれば、通常、大量の貨幣を収容できるように設けられている収納庫を、特定の金種の貨幣を一時的に保留する一時保留部として機能させることができる。したがって、たとえば、一度に大量に入金される傾向の強い特定の金種の貨幣（たとえば、中国においては、１００元紙幣）を、一時保留部として機能する収納庫に一時的に保留することにより、一度に大量の貨幣を保留することができ、入金処理が中断しないようにすることができるので、入金開始から入金完了までの時間を短くできる。しかも、もともと収納庫として設けられているものを一時保留部として兼用するので、貨幣処理装置を大型化せずにすみ、省スペース化を達成できる。【０００７】
また、この発明の貨幣処理装置（１）において、前記複数の収納庫（９ａ，９ｂ，９ｃ，９ｄ，９ｅ）とは別に設けられ、前記識別ユニット（５）で識別された貨幣のうち、前記特定の金種の貨幣以外の所定の貨幣を一時的に保留するための一時保留部（１４）を有する構成であってもよい。
上述の構成によれば、取扱量の多い上記特定金種の貨幣以外の所定の貨幣（たとえば、中国においては、５０元紙幣、２０元紙幣および１０元紙幣）は、一時保留部（１４）に保留することができる。この一時保留部（１４）は、複数の金種の貨幣を混合状態で一時保留できるものにすれば、複数の金種の貨幣に対して共通の一時保留部で対応でき、貨幣処理装置のさらなる小型化を実現できる。【０００８】
また、この発明の貨幣処理装置（１）において、前記所定の貨幣とは、短手長さが同程度の長さで、前記特定の金種でない紙幣であるのが好ましい。短手長さが同程度の長さとは、具体的には、紙幣の短手長さの差がたとえば１０ｍｍ以内の紙幣をいう。紙幣の短手長さの差がこの範囲内であれば、紙幣を繰り出す際に繰り出し不良を起こすことがないからである。【０００９】
よって、上述の構成によれば、一時保留部（１４）を、リールテープに紙幣を挟んで保留する構成に限らず、集積して貯めた紙幣をローラによって繰り出す構成のものを採用することができる。
また、この発明の貨幣処理装置（１）において、前記複数の収納庫（９ａ，９ｂ，９ｃ，９ｄ，９ｅ）は、収納する貨幣の金種を個別に設定でき、複数の収納庫は同一金種の貨幣を収納するための収納庫とし、ある収納庫は複数金種の貨幣を混合で収納するための混合収納庫として設定する第２の設定手段（４０）を有する構成としてもよい。【００１０】
上述の構成によれば、入金量の多い特定金種の貨幣（たとえば、中国においては、１００元紙幣）のために、複数の収納庫をその１００元紙幣の収納庫に設定する。これにより、特定金種の貨幣が大量に入金されても、それを不都合なく収納することができ、収納庫が満杯になることに起因する貨幣処理装置の停止をほぼなくすることができる。また、取扱量の少ない金種の貨幣を小さな収納スペースで収納することができる。【００１１】
また、この発明の貨幣処理装置（１）において、前記第２の設定手段（４０）は、複数の収納庫（９ｂ，９ｃ，９ｄ）のそれぞれを、貨幣の属性に応じた収納庫として設定できる構成であってもよい。
上述の構成によれば、金種以外に、貨幣の属性（貨幣が表向きか裏向きか、貨幣の方向、正損など）によって、貨幣を分けて収納することができる。そして、属性によって分けられた貨幣を、属性を揃えた貨幣束として出金できる。【００１２】
また、この発明の貨幣処理装置（１）において、出金口（８）を備え、前記混合収納庫（９ｅ）から所定の金種の貨幣を出金する旨の指令が入力されたことに応答して、前記混合収納庫（９ｅ）から順に貨幣を繰り出し、繰り出した貨幣が前記所定の金種でないときは、その貨幣を専用一時保留部（１４）で保留し、繰り出した貨幣が前記所定の金種のときは、前記出金口（８）へ搬送する出金制御手段（４０）、を有する構成であってもよい。【００１３】
上述の構成によれば、混合収納庫（９ｅ）の出金を不都合なく行うことができる。
【図面の簡単な説明】
【００１４】
【図１】この発明の一実施形態に係る貨幣処理装置としての紙幣処理装置の全体構成を示す図解的な縦断面構造図である。
【図２】紙幣処理装置の要部の図解図であり、各紙幣収納庫の設定の一例を示している。
【図３】各紙幣収納庫の設定の別の一例を示す図解図である。
【図４】各紙幣収納庫の設定のさらに別の一例を示す図解図である。
【図５】この発明の一実施形態に係る紙幣処理装置の制御回路ブロック図であり、この発明の特徴と関連する部分のみを示している。
【図６】設定動作の一例を示すフローチャートである。
【図７】入金制御動作の一例を示すフローチャートである。
【図８】出金制御動作の一例を示すフローチャートである。
【発明を実施するための最良の形態】
【００１５】
以下には、図面を参照して、この発明の実施形態について具体的に説明する。
＜全体構成の概要説明＞
図１は、この発明の一実施形態に係る貨幣処理装置としての紙幣処理装置１の全体構成を示す図解的な縦断面構造図である。なお、この実施形態では、貨幣として紙幣を取り扱う構成について説明するが、この発明は、貨幣として硬貨を取り扱う貨幣処理装置についても適用することができる。【００１６】
この紙幣処理装置１は、銀行等に設置され、紙幣の出納管理を行うための現金出納機である。
図１を参照して、紙幣処理装置１は、筐体２を有している。図１における左側が筐体２の正面であり、正面には、紙幣を入金するための入金口としてのホッパー３、開口部に開閉可能なシャッターを有する出金口８、リジェクト紙幣排出口７および紙幣束出金口１８が備えられている。【００１７】
筐体２内には、取り込み経路４と、識別ユニット５と、搬送路６と、５つの紙幣収納庫９（個別に区別するときは、左から順に第１収納庫９ａ、第２収納庫９ｂ、第３収納庫９ｃ、第４収納庫９ｄ、第５収納庫９ｅとする。）と、収納庫９とは別に設けられた一時保留部１４と、２つの帯封用集積部１５、１６と、帯封装置１７とが内蔵されている。
取り込み経路４は、ホッパー３にセットされた紙幣を一枚ずつ取り込み、搬送路６へと送る経路である。【００１８】
識別ユニット５は、搬送路６を搬送される紙幣の金種、正損、真偽などの識別、紙幣が表向きで送られているか裏向きで送られているかの識別、紙幣の上下左右の向きの識別などを行うことができる。
搬送路６は、識別ユニット５で識別された紙幣を搬送するためのものであって、ループ状をなしており、搬送路６上の紙幣は、循環するように搬送され得る。そして、搬送路６の途中に、識別ユニット５が配置され、搬送路６での紙幣の搬送方向（図１における時計回りの方向）に見て、搬送路６における識別ユニット５の下流側には、分岐路２０、２１、２２、２３、２４、２５、２６、２７の各一端が、この順番で接続されている。【００１９】
分岐路２０の他端は、リジェクト紙幣排出口７または出金口８に接続されている。分岐路２１の他端は一時保留部１４に接続され、分岐路２２の他端は帯封用集積部１５または１６に接続されている。分岐路２３の他端は第５収納庫９ｅに接続され、分岐路２４の他端は第４収納庫９ｄに接続され、分岐路２５の他端は第３収納庫９ｃに接続され、分岐路２６の他端は第２収納庫９ｂに接続され、分岐路２７の他端は第１収納庫９ａに接続されている。【００２０】
ここで、搬送路６と分岐路２０〜２７のそれぞれとの接続位置には、分岐爪（図示せず）が設けられており、この分岐爪を切り換えることによって、搬送路６上の紙幣を所望の分岐路２０〜２７へ搬送することができる。
各収納庫９ａ〜９ｅには、それぞれ、繰り出し機構１１ａ〜１１ｅが備えられ、出金時などに収納された紙幣を分岐路２３〜２７へ繰り出させることができる。【００２１】
ホッパー３から入金された紙幣のうち、識別ユニット５においてリジェクト紙幣（偽券等）と識別された紙幣は、搬送路６から分岐路２０へと搬送され、リジェクト紙幣排出口７へ排出される。
ホッパー３から入金されたリジェクト紙幣以外の紙幣は、通常、分岐路２１を経て一時保留部１４に保留される。そして、入金が確定後、金種に応じて、分岐路２３〜２７のいずれかを経て紙幣収納庫９に収納される。また、各紙幣収納庫９に収納された金種別の紙幣は、各紙幣収納庫９から繰り出され、搬送路６から分岐路２２を経て、帯封用集積部１５または１６へ与えられる。そして、金種別に集積された所定枚数（たとえば、１００枚）の集積紙幣Ｍは、帯封装置１７で紙幣束にされ、紙幣束は搬送ベルト３３で搬送され、紙幣束出金口１８へ出金される。【００２２】
一時保留部１４に保留された紙幣は、入金がキャンセルされた場合、搬送路６および分岐路２０を経て、出金口８から返却される。
収納庫９に収納された紙幣を出金する場合には、収納庫９から紙幣が繰り出されて搬送路６に送られ、さらに識別ユニット５で紙幣の金種などが改めて識別される。この紙幣は、さらに、分岐路２０を通って出金口８に出金される。【００２３】
紙幣処理装置１における紙幣の入金の開始、入金の取り消し、入金の確定、および出金の指示などは、筐体２の上部に取り付けられた操作パネルなどの操作部１２を操作することによって行われる。
紙幣処理装置１の各収納庫９ａ〜９ｅは、たとえば１０００枚以上の大量の紙幣を収納できるようにされており、一時保留部１４は、たとえば数百枚程度の比較的少ない量の紙幣を保留できるようになっている。【００２４】
以上説明した紙幣の流れは、一般的な説明であり、以下に説明するように、紙幣処理装置１の設定内容を変更等することによって、紙幣を所望の態様で処理することができる。
＜収納庫の設定態様＞
図２〜図４は、収納庫９ａ〜９ｅに収納する紙幣金種の異なる設定例を示す図解図である。一例として、中国の元紙幣を扱う場合を説明すると、図２に示すように、第１収納庫９ａは、複数の金種の紙幣を金種混合状態で一括して収納する紙幣一括収納庫に設定し、第２収納庫９ｂは、１００元の紙幣を収納する１００元紙幣収納庫として設定し、第３収納庫９ｃは、５０元の紙幣を収納する５０元紙幣収納庫として設定し、第４収納庫９ｄは、２０元の紙幣を収納する２０元紙幣収納庫として設定し、第５収納庫９ｅは、１０元の紙幣を収納する１０元紙幣収納庫として設定することができる。このように、１つの収納庫９ａを一括収納庫、残り４つの収納庫９ｂ〜９ｅを金種別収納庫として設定するのが基本的な設定である。【００２５】
紙幣処理装置１は、図３に示すように、収納庫９ａを、１００元紙幣用の一時保留部として設定することができる。
また、第２、第３および第４収納庫９ｂ，９ｃ，９ｄを、１００元紙幣を収容するための１００元紙幣収納庫として設定することができる。
さらに、第５収納庫９ｅは、１００元（特定の金種）以外の所定の紙幣としての５０元紙幣、２０元紙幣、１０元紙幣を混合で収納するための混合収納庫として設定できる。【００２６】
なお、第５収納庫９ｅに収納する紙幣は、短手方向の長さが等しい紙幣であることが好ましい。短手方向長さが等しければ、紙幣の繰り出しがスムーズに行え、金種が異なっても繰り出しミスや重送が生じない。
中国の元紙幣に代えて欧州のユーロ紙幣を入金処理する場合の設定の一例が、図４である。【００２７】
図４では、第１収納庫９ａは、特定の金種としての５ユーロ紙幣の一時保留部に設定されている。第２収納庫９ｂは、５ユーロ紙幣収納庫に設定されている。第３収納庫９ｃは、１０ユーロ紙幣収納庫に設定されている。第４収納庫９ｄは、２０ユーロ紙幣および５０ユーロ紙幣を混合で収納するための混合紙幣収納庫に設定されている。第５収納庫９ｅは、１００ユーロ、２００ユーロおよび５００ユーロ紙幣を混合で収納するための混合紙幣収納庫に設定されている。【００２８】
以上の例示のように、複数の収納庫９は、それぞれ、特定紙幣用の一時保留部として設定でき、また、任意の金種の紙幣を収納するための収納庫として、個別に設定できる。よって、収納庫９の数を増加させなくてよく、紙幣処理装置１の汎用性を増すことができる。
＜制御回路ブロック＞
図５は、紙幣処理装置１の特徴となる制御動作を実行するための制御回路ブロック図であり、この発明の特徴となる動作に必要な構成のみが示されている。【００２９】
紙幣処理装置１には、マイクロコンピュータ等で構成された制御部４０が備えられている。制御部４０には、操作部１２からの信号や、識別ユニット５からの識別情報が与えられる。制御部４０は、これら与えられる信号や情報に基づいて、取り込み経路４、搬送路６、分岐路２０〜２７、繰り出し機構１１ａ〜１１ｅおよび一時保留部１４を制御する。
＜設定制御動作＞
図６は、制御部４０の行う設定動作を示すフローチャートである。操作部１２の操作に応じて、制御部４０は図６に示す設定動作を行う。【００３０】
図６の流れに従い、図３を参照して説明する。
操作部１２を操作することによって、図３に示すように、各収納庫９の収納金種を設定することができる。設定は、収納庫別に行われる。まず、操作部１２の操作に応じ、制御部４０は、第１収納庫９ａを、１００元紙幣を一時的に保留する一時保留部として設定する（ステップＳ１）。【００３１】
また、制御部４０は、第２〜第４収納庫９ｂ〜９ｄを、共に、１００元紙幣を収納する１００元紙幣収納庫として設定する（ステップＳ２〜Ｓ４）。
さらに、制御部４０は、第５収納庫９ｅを、５０元、２０元および１０元紙幣を混合で収納する混合収納庫として設定する（ステップＳ５）。
設定が完了すると、設定内容は、制御部４０に記憶され、紙幣の入金、出金時には、その設定内容が参酌される。
＜入金制御動作＞
図７は、入金制御動作の一例を示すフローチャートである。図７の流れに従い、図３を参照して、入金制御動作について説明する。【００３２】
制御部４０は、入金ありか否かを判別する（ステップＱ１）。回収された紙幣がホッパー３に集積され、入金キー（図示せず）が押されると入金ありと判別され、取り込み経路４から搬送路６に紙幣が一枚ずつ取り込まれる。そして、紙幣が識別ユニット５を通過すると、この紙幣の金種、正損、真偽などが識別される（ステップＱ２）。
識別ユニット５で識別された１００元紙幣は、搬送路６から分岐路２７を通って、１００元紙幣一時保留部として設定されている第１収納庫９ａに搬送され（ステップＱ３）、この第１収納庫９ａで一時保留される。【００３３】
一方、識別ユニット５で５０元、２０元または１０元紙幣であると識別された紙幣は、搬送路６から分岐路２１を通って一時保留部１４に搬送され（ステップＱ４）、この一時保留部で一時保留される。
なお、この実施形態では、一時保留部１４はリールテープ式の保留部とされているが、混載する金種の紙幣の短手方向長さが同程度の場合、一時保留部１４は、たとえばリールテープ式の保留部とせず、紙幣を集積して保留しておく型式の保留部とすることもできる。なお、短手方向長さが同程度の長さの紙幣とは、短手方向長さの差がたとえば１０ｍｍ以内の紙幣をいう。紙幣の短手長さの差がこの範囲内であれば、紙幣を繰り出す際に繰り出し不良を起こすことはない。よって、集積型式の保持部を用いることができるのである。【００３４】
次に、オペレータにより操作部１２が操作され、取消キー（図示せず）が押されると、制御部４０は、入金取消ありと判別する（ステップＱ５でＹＥＳ）。入金取り消しの場合、第１収納庫９ａに一時保留されている１００元紙幣は、分岐路２７、搬送路６、識別ユニット５および分岐路２０を搬送されて、出金口８に返却される（ステップＱ６）。また、一時保留部１４に一時保留されている５０元、２０元および１０元の各紙幣は、分岐路２１、搬送路６、識別ユニット５および分岐路２０を搬送されて出金口８から返却される。【００３５】
一方、入金取消がない場合（ステップＱ５でＮＯ）は、入金確定か否かが判別される（ステップＱ７）。入金確定は、たとえば、入金終了後所定時間経過したとき、または、入金設定キー（図示せず）がオペレータにより押されることにより、肯定される。入金が確定すると（ステップＱ７でＹＥＳ）、第１収納庫９ａに一時保留されている１００元紙幣は、分岐路２７、搬送路６および識別ユニット５を搬送され、さらに、分岐路２６，２５，２４のいずれかを搬送されて、第２〜第４収納庫９ｂ〜９ｄのいずれかに搬送される（ステップＱ８）。たとえば、１００元紙幣は第２収納庫９ｂへ収納され、もし、第２収納庫９ｂが一杯になったら、第３収納庫９ｃに収納され、第３収納庫９ｃが一杯になったら、第４収納庫９ｄに収納される。よって、入金確定後、一時保留部とされた第１収納庫９ａは直ちに空になり、次の入金に備えることができる。【００３６】
一方、一時保留部１４に一時保留されている５０元、２０元および１０元の紙幣は、分岐路２１、搬送路６および分岐路２３を搬送され、第５収納庫９ｅに混合状態で収納される（ステップＱ９）。
以上の入金制御処理が行われるから、一度に大量の１００元紙幣の入金があっても、途中中断することなく大量の１００元紙幣を受け入れることができる。また、入金がキャンセルされた場合であっても、入金された１００元紙幣を一時保留部として設定した第１収納庫９ａから繰り出して返却することができる。【００３７】
よって、大量に流通する、取扱量の多い特定金種の紙幣（たとえば、１００元紙幣）に対する入金処理がスムーズに行え、しかも、一時保留部１４を大きくする必要のない紙幣処理装置１とすることができる。
＜出金制御動作＞
図８は、出金制御動作の一例を示すフローチャートである。【００３８】
図８の流れに従い、図３を参照して出金制御動作について説明をする。
出金制御動作では、制御部４０は、まず出金か否かの判別をする（ステップＲ１）。出金と判別した場合には、出金する紙幣が１００元か否かの判別をする（ステップＲ２）。
たとえば操作部１２が操作され、１００元紙幣の出金指令があったときには、ステップＲ１→Ｒ２→Ｒ３へと進み、第２収納庫９ｂから１００元紙幣が繰り出される（ステップＲ３）。そして制御部４０は、出金する１００元紙幣の帯封をするか否かの判別をする（ステップＲ４）。【００３９】
また、オペレータが、１００元紙幣５００枚の出金を入力するとともに、紙幣束として出金することを入力した場合には、制御部４０の処理はステップＲ５へ進み、第２収納庫９ｂから繰り出される１００元紙幣は、帯封用集積部１５または１６へ搬送される（ステップＲ５）。そして、たとえば帯封用集積部１５に集積された１００元紙幣が１００枚に達すると、その１００枚の１００元集積紙幣は帯封装置１７へ与えられて帯封される（ステップＲ６）。そして１００元の紙幣束は、搬送ベルト３３で搬送され、紙幣束出金口１８へ出金される（ステップＲ７）。【００４０】
なお、帯封用集積部１５に集積された１００元紙幣が１００枚に達し、その集積紙幣が帯封装置１７へ与えられる間に、次に送られてくる１００元紙幣は帯封用集積部１６へ集積され、その紙幣が１００枚に達すると、帯封用集積部１６の集積紙幣は帯封装置１７で帯封される。このように、帯封用集積部１５、１６に、所定枚数になるまで紙幣を集積する処理を交互に行わせることにより、多数枚の出金が中断せずにスムーズに行える。【００４１】
ステップＲ４で、帯封をしないことが判別された場合には、第２収納庫９ｂから繰り出される１００元紙幣は、分岐路２０を通り出金口８へと出金される（ステップＲ８）。
ステップＲ２において、出金紙幣が１００元紙幣でないと判別されたとき（ステップＲ２でＮＯ）には、第５収納庫９ｅから紙幣が繰り出される。より具体的には、オペレータにより操作部１２が操作され、５０元紙幣、２０元紙幣または１０元紙幣の出金指令が与えられると、第５収納庫９ｅから紙幣が繰り出される。【００４２】
第５収納庫９ｅには、上述したように、５０元紙幣、２０元紙幣および１０元紙幣が区別されることなく混合状態で集積されて収容されている。それゆえ、第５収納庫９ｅから繰り出される紙幣は、全てが出金要求された紙幣であるとは限らない。たとえば、今回の出金要求が、５０元紙幣の場合には、繰り出された紙幣が搬送路６を搬送され、識別ユニット５において再度識別されることにより、出金要求された紙幣（たとえば５０元紙幣）か否かの識別がされる（ステップＲ１０）。そして、繰り出された紙幣が出金金種でない場合（たとえば、５０元紙幣が出金要求され、識別された紙幣が５０元紙幣ではなく、２０元紙幣または１０元紙幣の場合（ステップＲ１０でＮＯ）には、その紙幣は一時保留部１４へ搬送される（ステップＲ１２）。【００４３】
一方、繰り出された紙幣が出金金種であると判別されると（ステップＲ１０でＹＥＳ）、次いで、出金紙幣を帯封する指令が与えられているか否かの判別がされる（ステップＲ１１）。
そして帯封する場合（ステップＲ１１でＹＥＳ）には、前述したステップＲ５、Ｒ６、Ｒ７の処理が行われて、出金する紙幣は帯封されて紙幣束出金口１８から出金される。【００４４】
一方、帯封する旨の指示が与えられていない場合（ステップＲ１１でＮＯ）には、紙幣は出金口８から出金される（ステップＲ８）。
また、出金時に、一時保留部１４へ搬送された出金すべき金種でない紙幣は、出金終了が判別されると（ステップＲ１３でＹＥＳ）、一時保留部１４から再び第５収納庫９ｅへ搬送されて収納される（ステップＲ１４）。【００４５】
これにより、出金処理終了後は、一時保留部１４は紙幣が空になった状態であるから、次の入金、または出金に対処することが可能となる。
以上説明したように、この実施形態によれば、大量の紙幣を収容できるように設けられている第１収納庫９ａを、一時保留部として機能させることができる。したがって、一度に大量に入金される傾向の強い１００元紙幣を、一時保留部として機能する第１収納庫９ａに一時的に保留することにより、一度に大量の紙幣を保留することができ、入金処理が中断しないようにすることができるので、入金開始から入金完了までの時間を短くできる。【００４６】
しかも、もともと収納庫として設けられている第１収納庫９ａを一時保留部として兼用するので、紙幣処理装置１を大型化せずにすみ、省スペース化を達成できる。
また、取扱量の多い１００元紙幣以外の５０元紙幣、２０元紙幣および１０元紙幣は、一時保留部１４に一時保留することができる。このように、一時保留部１４で複数の金種の紙幣を混合状態で一時保留できるようにしてあるので、紙幣処理装置１のさらなる小型化を実現できる。【００４７】
さらに、入金量の多い１００元紙幣のために、複数の収納庫９ｂ〜９ｄを１００元紙幣収納庫に設定することができる。これにより、１００元紙幣が大量に入金されても、それを不都合なく収納することができ、収納庫９が満杯になることに起因する紙幣処理装置１の停止をほぼなくすることができる。また、取扱量の少ない５０元紙幣、２０元紙幣、および１０元紙幣を小さな収納スペースで収納することができる。【００４８】
さらに、混合収納庫９ｅからたとえば５０元紙幣を出金する際には、混合収納庫９ｅから繰り出した貨幣が５０元紙幣でないときは、その紙幣を一時保留部１４で保留し、繰り出した紙幣が５０元紙幣のときは、この紙幣を出金口８へ搬送するようになっている。これにより、混合収納庫９ｅの出金を不都合なく行うことができる。
この発明は、以上説明した実施形態に限定されるものではなく、請求項記載の範囲内において種々の変更が可能である。たとえば、各収納庫９ａ〜９ｅのいずれを一時保留部に設定するかは自由である。同様に、各収納庫９ａ〜９ｅのいずれを、一金種収納庫に設定するかは自由である。また、各収納庫９ａ〜９ｅのいずれを、混合収納庫に設定するかは自由である。【００４９】
また、図３に示す設定において、同一金種の収納庫として設定されている第２、第３および第４収納庫９ｂ，９ｃ，９ｄのうちのいずれか一つを、表向きの紙幣専用の収納庫とし、別の収納庫を、裏向きの紙幣専用の収納庫としてもよい。こうすれば、出金時に１００元紙幣を繰り出す際、表向き紙幣の収納庫または裏向き紙幣の収納庫から繰り出すことにより、紙幣の表裏を揃えて帯封装置１７で帯封することができる。よって、紙幣の表裏の向きの揃った紙幣束を得ることが可能となる。【００５０】
また、紙幣を表向きと裏向きとに分けて収納する他に、紙幣の方向によって収納庫を変えたり、紙幣の正損によって分けて収納庫を変えることで、紙幣の方向を揃えた紙幣束を作成したり、紙幣を正損に分類した束とすることができる。その結果、出金される紙幣束の使い勝手が向上する。すなわち、紙幣の属性により、収納庫を分けることもできる。
このような紙幣の属性により収納庫を分ける設定をする場合は、図６において、ステップＳ２，Ｓ３，Ｓ４で全て１００元を設定したのに代え、たとえば、ステップＳ２で表向きの１００元、ステップＳ３で裏向きの１００元、ステップＳ４で裏向きの１００元をそれぞれ設定するようにすればよい。または、ステップＳ２，Ｓ３で１００元の正券、ステップＳ４で１００元の損券の設定などをしてもよい。または、ステップＳ２，Ｓ３で、紙幣の方向が第１の方向の１００元、ステップＳ４で紙幣の方向が第２の方向の１００元などと設定すればよい。
【図１】
2009118882.tif 000003
【図２】
2009118882.tif 000004
【図３】
2009118882.tif 000005
【図４】
2009118882.tif 000006
【図５】
2009118882.tif 000007
【図６】
2009118882.tif 000008
【図７】
2009118882.tif 000009
【図８】
2009118882.tif 000010
【国際調査報告】
2009118882.tif 000011
2009118882.tif 000012
2009118882.tif 000013
2009118882.tif 000014